(57)【特許請求の範囲】
【請求項１】
パネル本体と、突条と、凹溝とを有する建築用パネルであって、
パネル本体は、建物の壁面パネルとして上下段に配列して互いに接続するものであり、
突条は、接続すべき上段パネルの凹溝内に嵌合させて定位置に保持される部分であり、
凹溝は、下段パネルの突条を嵌合させる部分であり、型材と保持縁とを有し、
型材は剛体であり、パネル本体に組付けられて凹溝を形成し、
保持縁は、凹溝内に嵌合された下段パネルの突条を定位置に保持するものであることを特徴とする建築用パネル。
【請求項２】
保持縁は対をなし、下段のパネルの突条を支えるとともに凹溝を形成する型材を保持するものであることを特徴とする請求項１に記載の建築用パネル。
【請求項３】
型材は、梁部分と、両脚部分とを有する門型の剛体であり、パネル本体に保持され、
梁部分は、パネル本体の下縁に向き合わせて配置される部分であり、
両脚部分は、パネル本体の２面のそれぞれの面と平行に配列され、間に下段のパネルの突条を受入れる部分であることを特徴とする請求項１に記載の建築用パネル。
【請求項４】
パネル本体は、芯材と表面材とからなり、
芯材は、断熱材であり、
表面材は、芯材の表面を覆う金属板であり、張り出し縁を有し、
張り出し縁は、芯材の下縁より張り出して型材の表面を覆い、且つ保持縁を形成するものであることを特徴とする請求項２に記載の建築用パネル。
【請求項５】
保持縁は、表面材の張り出し縁の下縁を内側に折返した部分であり、その折返し部分に型材の脚部分を受入れるものであることを特徴とする請求項４に記載の建築用パネル。
【請求項６】
保持縁は、表面材の張り出し縁の下縁を内側に折返した部分であり、斜上方に立上り、自身の有するばね作用で下段パネルの突条に圧接され、上段パネルと下段パネル間のシールを行うものであることを特徴とする請求項５に記載の建築用パネル。
【発明の詳細な説明】
【０００１】
【発明の属する技術分野】
本発明は、建物の壁板として用いる建築用パネルに関する。
【０００２】
【従来の技術】
建物の壁に用いるパネルには断熱性、防音性など内部の居住空間を快適に維持するための機能性が要求される。この機能の必要性は、永年使用される建築物に限られるものではなく、工事現場事務所、被災地の仮設住宅、仮設の展示場、イベント会場などの一時使用の建物においても全く同じである。特に冬期に開催されるイベント会場にあっては、断熱機能に限らず、雨、風雪に対する耐候性などが更に要求される。
【０００３】
ところで、被災地の仮設住宅のような一時使用の建物の壁に使用されるパネルとして、例えば図４に示す構造のパネルが従来より知られている。この構造のパネルは、表面板及び裏面板の間に硬質ウレタンフォームを注入発泡してサンドイッチパネル２１を形成し、パネル間を接続するジョイント部として一方のサンドイッチパネル２１の端部に凸脈（突条）２２を形成するとともに隣りのサンドイッチパネル２３の端部に凹溝２４を形成して凸脈２２と凹溝２４とを嵌合させるという構造のものである（特開昭５２−５６７１５号公報、特開昭４９−８９３１９号公報参照）。
【０００４】
【発明が解決しようとする課題】
ところが、上記構造のパネルによるときには、パネルのジョイント部、特に凹溝２４を形成する両脚部分の強度が不足し、再使用に際して、図５に示すように変形して両脚部分が開き、これが原因となってパネル間の水もれ、あるいはガタツキ（目ちがい）が発生し、所期の機能を維持することができなくなるという問題があった。
【０００５】
本発明の目的は、繰り返し使用しても、ジョイント部の水もれ、あるいはガタツキが生じない建築用パネルを提供することにある。
【０００６】
【課題を解決するための手段】
上記目的を達成するため、本発明による建築用パネルにおいては、パネル本体と、突条と凹溝とを有する建築用パネルであって、
パネル本体は、建物の壁面パネルとして上下段に配列して互いに接続されるものであり、
突条は、接続すべき上段パネルの凹溝内に嵌合させて定位置に保持される部分であり、
凹溝は、下段パネルの突条を嵌合させる部分であり、型材と保持縁とを有し、
型材は剛体であり、パネル本体に組付けられて凹溝を形成し、
保持縁は、凹溝内に嵌合された下段パネルの突条を定位置に保持するものである。
【０００７】
また、保持縁は対をなし、下段のパネルの突条を支えるとともに凹溝を形成する型材を保持するものである。
【０００８】
また、型材は、梁部分と、両脚部分とを有する門型の剛体であり、パネル本体に保持され、
梁部分は、パネル本体の下縁に向き合わせて配置される部分であり、
両脚部分は、パネル本体の２面のそれぞれの面と平行に配列され、間に下段のパネルの突条を受入れる部分である。
【０００９】
また、パネル本体は、芯材と表面材とからなり、
芯材は、断熱材であり、
表面材は、芯材の表面を覆う金属板であり、張り出し縁を有し、
張り出し縁は、芯材の下縁より張り出して型材の表面を覆い、且つ保持縁を形成するものである。
【００１０】
また、保持縁は、表面材の張り出し縁の下縁を内側に折返した部分であり、その折返し部分に型材の脚部分を受入れるものである。
【００１１】
また、保持縁は、表面材の張り出し縁の下縁を内側に折返した部分であり、斜上方に立上って下段パネルの突条に圧接され、上段パネルと下段パネル間のシールを行うものである。
【００１２】
【発明の実施の形態】
以下に本発明による建築用パネルの一実施形態を図によって説明する。図１〜２において、本発明による建築用パネルは、パネル本体１と、型材２との組合せからなるものである。パネル本体１は、芯材としてのボード３と表面材４とからなり、ボード３は、合成樹脂発泡体、グラスウール、ロックウールその他断熱性を有する素材の板状成形体であり、壁板として定形に加工されたものであるが、ボード３は表面材４間に、合成樹脂発泡体を注入発泡したサンドイッチパネルとしても良い。
【００１３】
通常の場合には、ボード３の素材には硬質ウレタンフォームの成形体が用いられ、ジョイント部として一縁（上縁）に上段のパネルに接続すべき突条５を有し、他縁（下縁）には下段のパネルの突条５を嵌合させるべき凹溝６を有するものである。
【００１４】
表面材４は、ボード３の下縁を除いて両面及び側面、上面を含んでその表面を覆う金属板であり、表面材４の両面には、ボード３の下縁より一定範囲にわたって、下方に張り出した張り出し縁７を有し、張り出し縁７の下端縁には、保持縁８を有している。この実施形態において、保持縁８は、張り出し縁７の下縁を内側に折返し、その折返し縁を斜め上方にに立ち上がらせたものである。型材２は、剛体であり、梁部分２ａと両脚部分２ｂ，２ｂとを有する断面門型をなし、ボード３の端縁（下端縁）に沿わせて両張り出し縁７間に配設され、梁部分２ａは、ボード３の端面に向き合わされ、両脚部分２ｂ，２ｂは、ボード３の両面とほぼ同一平面上でその延長方向に配置されている。
【００１５】
脚部分２ｂの下端は、張り出し縁７の下端から斜め上方に立ち上がる保持縁８上に受け入れられ、型材２は、下面が開放された姿勢で保持縁８に保持される。両脚部分２ｂ，２ｂの間は、凹溝６として下段のパネルの突条５を受け入れる部分となる。
【００１６】
本発明の建築用パネルは、被災地の仮設住宅などの壁板として施工され、図２に示すように２枚以上のパネルＰ1、Ｐ2を上下に配置し、上段のパネルＰ1の凹溝６内に下段パネルＰ2の突条５を嵌合させて上下方向に組合す。これによって上，下段のパネルＰ1、Ｐ2のジョイント部分に化粧目地Ｍが形成される。
【００１７】
上段パネルＰ1の凹溝６は、型材２の両脚部分２ｂ，２ｂ間に形成される空間であり、上段パネルＰ1の凹溝６内に嵌合された下段パネルＰ2の突条５は、型材２の梁部分２ａの下面に突き合わされるが、突条５の上端と、梁部分２ａとの間にはクッション材９を介在させて下段パネルＰ2上に上段パネルＰ1を緩衝的に支持させるが、クッション材９は必ずしも設けなくても良い。
【００１８】
一方、張り出し縁７は、型材２の脚部分２ａの外面を覆い、その下縁の保持縁８の折曲部分で型材２の脚部分２ａ，２ａを保持するとともに斜上方に延びて凹溝６内に受け入れた下段パネルＰ2の突条５の側面に当接し、自らの有するバネ作用によって、下段パネルＰ2の両面を圧接して上，下段のパネルＰ1，Ｐ2間のパネル厚味方向のガタツキを防止し、あわせて上下パネルのジョイント部である凹溝６と突条２間に形成される隙間を塞ぎ、上下段のパネルＰ1，Ｐ2間への水分の浸入を防止する。
【００１９】
実験によれば、型材２として厚さ０．８ｍｍ以上の鋼板を用い、表面材４として厚さ０．２７〜０．５ｍｍのカラー鉄板を用い、保持縁８として図３に示すように３０〜４５°の角度でカラー鉄板を折曲げ、型材２の脚部分２ｂの内側に３〜４ｍｍの長さを確保し、その保持縁８の内端から１ｍｍ程度オーバーラップするように下段のパネルＰ2の突条５を保持縁８，８間に圧入すれば、上下段のパネル間に隙間が生ぜず、上下段のパネルＰ1，Ｐ2を安定に支持でき、さらには、上段のパネルＰ1の凹溝６内に下段パネルＰ2の突条５を無理なく挿し込んで建物の壁面を組立てることができた。また、解体して再度組立てたが、パネル厚味方向にガタツキが生じることなく、所期の機能を維持することができた。
【００２０】
【発明の効果】
以上のように本発明は、一端に突条、他端に他のパネルの突条を嵌合させる凹溝を設けた建築用パネルであって、凹溝には、鋼材のような剛体をもって作られた型材を用いるため、嵌合された突条の支持に十分な強度を有し、したがって従来のように凹溝の部分に変形が生ずることがない。
【００２１】
また、パネルの表面を覆う表面材をその下縁より張り出させ、その張り出し部分をもって型材を覆い、さらに張り出し部分の下縁に型材を保持するための保持縁を設け、特に張り出し部分の下縁を上傾姿勢に折返し、その折返し部分を保持縁として型材を保持させることによって、表面材の一部を有効に利用して型材を安定に保持でき、しかも、折返縁の端縁を凹溝となる型材の両脚部間に嵌合された下段パネルの突条の両面に自身の有するバネ作用で圧着させるため、下段パネルの安定支持にあわせて水切りの機能が得られ、上下パネル間を通しての建物内への水の浸入を有効に阻止できる。
【００２２】
本発明による建築用パネルは、複数回使用してもガタツキ（目ちがい）がなく、防水性を維持でき、構造が簡単で施工が容易のため、仮設住宅その他一時的に使用される建築物の壁板に用いて優れた効果が得られる。
【図面の簡単な説明】
【図１】（ａ）は本発明の建築パネルの一実施形態を示す平面図、（ｂ）は（ａ）のＡ−Ａ線断面図である。
【図２】本発明の建築用パネルの接続要領を示す図である。
【図３】本発明のパネルの仕様の一例を示す図である。
【図４】従来の建築用パネルの一例を示す図である。
【図５】従来の建築用パネルの問題点を示す図である。
【符号の説明】
１  パネル本体
２  型材
２ａ  梁部分
２ｂ  脚部分
３  ボード
４  表面材
５  突条
６  凹溝
７  張り出し縁
８  保持縁
９  クッション材
【図１】
0003945001.tif 000002
【図２】
0003945001.tif 000003
【図３】
0003945001.tif 000004
【図４】
0003945001.tif 000005
【図５】
0003945001.tif 000006